(57)【特許請求の範囲】
【請求項１】
正に帯電する第１の粒子と、前記第１の粒子の色と補色の関係にある色をなし負に帯電する第２の粒子とが収容された収容部を備える表示層と、
前記表示層の一方の面側に、前記収容部に対応して設けられた第１の電極および第２の電極を有し、
前記第１の電極および前記第２の電極の間に所定の電圧を印加し、前記第１の粒子および前記第２の粒子が互いに混合した状態で前記表示層の前記一方の面側に集まった混合状態とすることにより、前記表示層の前記一方の面側から視認される前記収容部内の色を前記第１の粒子の色と前記第２の粒子の色の混色である黒色とするよう構成され、
前記混合状態とするステップは、前記第１の電極および前記第２の電極の間に、前記第１の電極が負電位、前記第２の電極が正電位となる電圧を印加して、前記第１の電極側に前記第１の粒子を集めるとともに前記第２の電極側に前記第２の粒子を集める第１のステップと、前記第１の電極および前記第２の電極の間に、前記第１の電極が正電位、前記第２の電極が負電位となる電圧を印加して、前記第１の粒子を前記第２の電極側に移動させるとともに、前記第２の粒子を前記第１の電極側に移動させることにより、前記混合状態とする第２のステップとを有していることを特徴とする表示装置。
【請求項２】
正に帯電する第１の粒子と、前記第１の粒子の色と補色の関係にある色をなし負に帯電する第２の粒子とが収容された収容部を備える表示層と、
前記表示層の一方の面側に、前記収容部に対応して設けられた第１の電極および第２の電極を有し、
前記第１の電極および前記第２の電極の間に所定の電圧を印加し、前記第１の粒子および前記第２の粒子が互いに混合した状態で前記表示層の前記一方の面側に集まった混合状態とすることにより、前記表示層の前記一方の面側から視認される前記収容部内の色を前記第１の粒子の色と前記第２の粒子の色の混色である黒色とするよう構成され、
前記混合状態とするステップは、前記第１の電極および前記第２の電極の間に、前記第１の電極が負電位、前記第２の電極が正電位となる電圧を印加して、前記第１の電極側に前記第１の粒子を集めるとともに前記第２の電極側に前記第２の粒子を集める第１のステップと、前記第１の電極および前記第２の電極の間に交番電圧を印加して、前記第１の粒子および前記第２の粒子を前記第１の電極および前記第２の電極の離間方向に振動させることにより、前記混合状態とする第２のステップとを有していることを特徴とする表示装置。
【請求項３】
前記交番電圧は、前記第１の電極が正電位、前記第２の電極が負電位となる期間よりも、前記第１の電極が負電位、前記第２の電極が正電位となる期間の方が長い請求項２に記載の表示装置。
【請求項４】
前記交番電圧は、前記第１の電極が正電位、前記第２の電極が負電位となる期間と、前記第１の電極が負電位、前記第２の電極が正電位となる期間との間に、前記第１の電極および前記第２の電極の間に電位差が０（ゼロ）の期間を有している請求項２または３に記載の表示装置。
【請求項５】
前記混合状態とするステップに先立って、前記収容部内に前記第１の粒子および前記第２の粒子がそれぞれ分散した分散状態とする請求項１ないし４のいずれかに記載の表示装置。
【請求項６】
前記表示層の他方の面側に、前記収容部に対応して設けられた第１の裏面側電極および第２の裏面側電極を有し、
前記第１の裏面側電極および前記第２の裏面側電極の少なくとも一方の電極と、前記第１の電極および前記第２の電極の少なくとも一方の電極との間に交番電圧を印加して、前記第１の粒子および前記第２の粒子を前記表示層の厚さ方向に振動させることにより前記分散状態とする請求項５に記載の表示装置。
【請求項７】
前記第１の裏面側電極および前記第２の裏面側電極と、前記第１の電極および前記第２の電極との間に、前記第１の裏面側電極および前記第２の裏面側電極が正電位、前記第１の電極および前記第２の電極が負電位となる電圧を印加して、前記第１の電極および前記第２の電極側に前記第１の粒子を集めるとともに前記第１の裏面側電極および前記第２の裏面側電極側に前記第２の粒子を集めることにより、前記表示層の前記一方の面側から視認される前記収容部内の色を前記第１の粒子の色とする請求項１ないし６のいずれかに記載の表示装置。
【請求項８】
前記第１の裏面側電極および前記第２の裏面側電極と、前記第１の電極および前記第２の電極との間に、前記第１の裏面側電極および前記第２の裏面側電極が負電位、前記第１の電極および前記第２の電極が正電位となる電圧を印加して、前記第１の電極および前記第２の電極側に前記第２の粒子を集めるとともに前記第１の裏面側電極および前記第２の裏面側電極側に前記第１の粒子を集めることにより、前記表示層の前記一方の面側から視認される前記収容部内の色を前記第２の粒子の色とする請求項１ないし７のいずれかに記載の表示装置。
【請求項９】
前記収容部には、さらに、無帯電で白色の第３の粒子が収容されている請求項１ないし８のいずれかに記載の表示装置。
【請求項１０】
前記表示層の他方の面側に、前記収容部に対応して設けられた第１の裏面側電極および第２の裏面側電極を有し、
前記第１の裏面側電極および前記第２の裏面側電極の間に、前記第１の裏面側電極が負電位、前記第２の裏面側電極が正電位となる電圧を印加し、前記第３の粒子を前記収容部内で分散させたまま、前記第１の裏面側電極側に前記第１の粒子を集めるとともに前記第２の裏面側電極側に前記第２の粒子を集めることにより、前記表示層の前記一方の面側から視認される前記収容部内の色を白色とする請求項９に記載の表示装置。
【請求項１１】
少なくとも３つの前記収容部によって１画素が構成されており、
前記少なくとも３つの収容部に含まれる第１の収容部に収容された前記第１の粒子および前記第２の粒子の一方が赤色、他方がシアンをなし、第２の収容部に収容された前記第１の粒子および前記第２の粒子の一方が緑色、他方がマゼンタをなし、第３の収容部に収容された前記第１の粒子および前記第２の粒子の一方が青色、他方がイエローをなしている請求項１ないし１０のいずれかに記載の表示装置。
【請求項１２】
請求項１ないし１１のいずれかに記載の表示装置を備えることを特徴とする電子機器。
【発明の詳細な説明】
【技術分野】
【０００１】
本発明は、表示装置および電子機器に関する。
【背景技術】
【０００２】
例えば、電子ペーパーの画像表示部を構成するものとして、粒子の電気泳動を利用した電気泳動ディスプレイが知られている（例えば、特許文献１参照）。電気泳動ディスプレイは、優れた可搬性および省電力性を有しており、電子ペーパーの画像表示部として特に適している。
特許文献１には、複数のセルと、各セルの一方側（上側）に設けられた２つの電極（上部電極）と、各セルの他方側（下側）に設けられた下部電極とを有する表示装置が開示されている。また、各セルには、分散媒に３種の粒子を分散させてなる分散液が封入されている。また、３種の粒子は、負に帯電した黒色の第１の粒子と、負に帯電したイエローの第２の粒子と、正に帯電した白色の第３の粒子を含んでいる。
このような特許文献１の表示装置では、３つの電極の間に印加する電圧パターンを制御することにより、第１の粒子が上部電極側に集まった黒色表示状態、第２の粒子が上部電極に集まったイエロー表示状態、および、第３の粒子が上部電極側に集まった白色表示状態のいずれかとすることができる。
【０００３】
しかしながら、特許文献１の表示装置では、イエロー表示状態のときに、イエローの第２の粒子とともに、黒色の第１の粒子が上部電極側に集まってしまうので、黒色が影響して明るいイエロー、すなわち第２の粒子本来の色を表示することができない。また、黒色表示状態のときに、黒色の第１の粒子とともに、イエローの第２の粒子が上部電極側に集まってしまうので、イエローが影響して彩度が低く明度の小さい黒色、すなわち第１の粒子本来の色を表示することができない。すなわち、特許文献１の表示装置では、コントラストが低下するとともに、有彩色（イエロー）の明度・彩度が低下し、優れた表示特性を発揮することができないという問題が発生する。
【先行技術文献】
【特許文献】
【０００４】
【特許文献１】特開２００９−１９２６３７号公報
【発明の概要】
【発明が解決しようとする課題】
【０００５】
本発明の目的は、高いコントラストを発揮することができるとともに、鮮やかなカラー表示を行うことのできる表示装置およびそれを用いた電子機器を提供することにある。
【課題を解決するための手段】
【０００６】
このような目的は、下記の本発明により達成される。
本発明の表示装置は、正に帯電する第１の粒子と、前記第１の粒子の色と補色の関係にある色をなし負に帯電する第２の粒子とが収容された収容部を備える表示層と、
前記表示層の一方の面側に、前記収容部に対応して設けられた第１の電極および第２の電極を有し、
前記第１の電極および前記第２の電極の間に所定の電圧を印加し、前記第１の粒子および前記第２の粒子が互いに混合した状態で前記表示層の前記一方の面側に集まった混合状態とすることにより、前記表示層の前記一方の面側から視認される前記収容部内の色を前記第１の粒子の色と前記第２の粒子の色の混色である黒色とするよう構成され、
前記混合状態とするステップは、前記第１の電極および前記第２の電極の間に、前記第１の電極が負電位、前記第２の電極が正電位となる電圧を印加して、前記第１の電極側に前記第１の粒子を集めるとともに前記第２の電極側に前記第２の粒子を集める第１のステップと、前記第１の電極および前記第２の電極の間に、前記第１の電極が正電位、前記第２の電極が負電位となる電圧を印加して、前記第１の粒子を前記第２の電極側に移動させるとともに、前記第２の粒子を前記第１の電極側に移動させることにより、前記混合状態とする第２のステップとを有していることを特徴とする。
【０００７】
このように、第１の粒子と第２の粒子を混合させて黒色を表示することにより、明度が低く、彩度が小さい黒色を表示することができる。また、このように、黒色の粒子を用いることなく黒色を表示することができれば、黒色の粒子を用いなくてもよいため、黒色の粒子が、カラー表示に悪影響（彩度・明度の低下を引き起こす等の悪影響）を与えることがないため、より鮮明で鮮やかな色（第１の粒子の色、第２の粒子の色）を表示することができる。したがって、高いコントラストを発揮することができるとともに、鮮やかなカラー表示を行うことのできる表示装置を提供することができる。
【０００９】
本発明の表示装置は、正に帯電する第１の粒子と、前記第１の粒子の色と補色の関係にある色をなし負に帯電する第２の粒子とが収容された収容部を備える表示層と、
前記表示層の一方の面側に、前記収容部に対応して設けられた第１の電極および第２の電極を有し、
前記第１の電極および前記第２の電極の間に所定の電圧を印加し、前記第１の粒子および前記第２の粒子が互いに混合した状態で前記表示層の前記一方の面側に集まった混合状態とすることにより、前記表示層の前記一方の面側から視認される前記収容部内の色を前記第１の粒子の色と前記第２の粒子の色の混色である黒色とするよう構成され、
前記混合状態とするステップは、前記第１の電極および前記第２の電極の間に、前記第１の電極が負電位、前記第２の電極が正電位となる電圧を印加して、前記第１の電極側に前記第１の粒子を集めるとともに前記第２の電極側に前記第２の粒子を集める第１のステップと、前記第１の電極および前記第２の電極の間に交番電圧を印加して、前記第１の粒子および前記第２の粒子を前記第１の電極および前記第２の電極の離間方向に振動させることにより、前記混合状態とする第２のステップとを有していることを特徴とする。
【００１０】
本発明の表示装置では、前記交番電圧は、前記第１の電極が正電位、前記第２の電極が負電位となる期間よりも、前記第１の電極が負電位、前記第２の電極が正電位となる期間の方が長いことが好ましい。
これにより、第１の粒子は、その振動の際、第２の電極側への移動距離の方が第１の電極側への移動距離よりも長くなり、同様に、第２の粒子は、その振動の際、第１の電極側への移動距離の方が第２の電極側への移動距離よりも長くなる。その結果、第１の粒子を第１の電極側から第２の電極側へ、第２の粒子を第２の電極側から第１の電極側へより効率的（スムーズ）に移動させることができるでき、第１の粒子および第２の粒子がより均一に混合した混合状態とすることができる。したがって、より彩度が低く、より明度の小さい黒色を表示することができる。
【００１１】
本発明の表示装置では、前記交番電圧は、前記第１の電極が正電位、前記第２の電極が負電位となる期間と、前記第１の電極が負電位、前記第２の電極が正電位となる期間との間に、前記第１の電極および前記第２の電極の間に電位差が０（ゼロ）の期間を有していることが好ましい。
これにより、第１の粒子および第２の粒子をより効果的に振動させることができる。
【００１２】
本発明の表示装置では、前記混合状態とするステップに先立って、前記収容部内に前記第１の粒子および前記第２の粒子がそれぞれ分散した分散状態とすることが好ましい。
これにより、第１の粒子および第２の粒子の移動をスムーズに行えるため、第１の粒子Ａを第１の電極へ向けて、第２の粒子を第２の電極へ向けて迅速に移動させることができる。その結果、迅速に黒色表示状態とすることができる。
【００１３】
本発明の表示装置では、前記表示層の他方の面側に、前記収容部に対応して設けられた第１の裏面側電極および第２の裏面側電極を有し、
前記第１の裏面側電極および前記第２の裏面側電極の少なくとも一方の電極と、前記第１の電極および前記第２の電極の少なくとも一方の電極との間に交番電圧を印加して、前記第１の粒子および前記第２の粒子を前記表示層の厚さ方向に振動させることにより前記分散状態とすることが好ましい。
これにより、スムーズに分散状態とすることができる。
【００１４】
本発明の表示装置では、前記第１の裏面側電極および前記第２の裏面側電極と、前記第１の電極および前記第２の電極との間に、前記第１の裏面側電極および前記第２の裏面側電極が正電位、前記第１の電極および前記第２の電極が負電位となる電圧を印加して、前記第１の電極および前記第２の電極側に前記第１の粒子を集めるとともに前記第１の裏面側電極および前記第２の裏面側電極側に前記第２の粒子を集めることにより、前記表示層の前記一方の面側から視認される前記収容部内の色を前記第１の粒子の色とすることが好ましい。
これにより、第１の粒子の色を表示することができる。また、第２の粒子が、裏面側電極に集まっているため、当該第２の粒子の色が、表示色に影響を与えるのを抑制でき、第１の粒子本来の色を表示することができる。
【００１５】
本発明の表示装置では、前記第１の裏面側電極および前記第２の裏面側電極と、前記第１の電極および前記第２の電極との間に、前記第１の裏面側電極および前記第２の裏面側電極が負電位、前記第１の電極および前記第２の電極が正電位となる電圧を印加して、前記第１の電極および前記第２の電極側に前記第２の粒子を集めるとともに前記第１の裏面側電極および前記第２の裏面側電極側に前記第１の粒子を集めることにより、前記表示層の前記一方の面側から視認される前記収容部内の色を前記第２の粒子の色とすることが好ましい。
これにより、第２の粒子の色を表示することができる。また、第１の粒子が、裏面側電極に集まっているため、当該第１の粒子の色が、表示色に影響を与えるのを抑制でき、第１の粒子本来の色を表示することができる。
【００１６】
本発明の表示装置では、前記収容部には、さらに、無帯電で白色の第３の粒子が収容されていることが好ましい。
これにより、白色表示が可能となり、コントラストの向上を図ることができる。
本発明の表示装置では、前記表示層の他方の面側に、前記収容部に対応して設けられた第１の裏面側電極および第２の裏面側電極を有し、
前記第１の裏面側電極および前記第２の裏面側電極の間に、前記第１の裏面側電極が負電位、前記第２の裏面側電極が正電位となる電圧を印加し、前記第３の粒子を前記収容部内で分散させたまま、前記第１の裏面側電極側に前記第１の粒子を集めるとともに前記第２の裏面側電極側に前記第２の粒子を集めることにより、前記表示層の前記一方の面側から視認される前記収容部内の色を白色とすることが好ましい。
これにより、収容部内に入射した外光を、第３の粒子によって、効率的に反射・拡散させることができ、例えば、第３の粒子を第１の電極および第２の電極側に偏在させることにより白色を表示する場合と比較して、より明るい白色を表示することができる。その結果、より高いコントラストを発揮することができる。
【００１７】
本発明の表示装置では、少なくとも３つの前記収容部によって１画素が構成されており、
前記少なくとも３つの収容部に含まれる第１の収容部に収容された前記第１の粒子および前記第２の粒子の一方が赤色、他方がシアンをなし、第２の収容部に収容された前記第１の粒子および前記第２の粒子の一方が緑色、他方がマゼンタをなし、第３の収容部に収容された前記第１の粒子および前記第２の粒子の一方が青色、他方がイエローをなしていることが好ましい。
これによりフルカラー表示が可能となる。
本発明の電子機器は、本発明の表示装置を備えることを特徴とする。
これにより、高いコントラストを発揮することができるとともに、鮮やかなカラー表示を行うことのできる電子機器を提供することができる。
【図面の簡単な説明】
【００１８】
【図１】本発明の表示装置の第１実施形態を模式的に示す断面図である。
【図２】図１に示す表示装置の平面図である。
【図３】図２に示す表示面側電極の変形例を示す平面図である。
【図４】図１に示す表示装置の作動電圧を示す図である。
【図５】図１に示す表示装置の作動を説明する模式図である。
【図６】図１に示す表示装置の作動を説明する模式図である。
【図７】図１に示す表示装置の作動電圧を示す図である。
【図８】図１に示す表示装置の作動電圧を示す図である。
【図９】図１に示す表示装置の作動電圧を示す図である。
【図１０】図１に示す表示装置の作動を説明する模式図である。
【図１１】図１に示す表示装置の作動電圧を示す図である。
【図１２】図１に示す表示装置の作動を説明する模式図である。
【図１３】図１に示す表示装置の作動を説明する模式図である。
【図１４】本発明の表示装置の第２実施形態を模式的に示す断面図である。
【図１５】本発明の電子機器を電子ペーパーに適用した場合の実施形態を示す斜視図である。
【図１６】本発明の電子機器をディスプレイに適用した場合の実施形態を示す図である。
【発明を実施するための形態】
【００１９】
以下、本発明の表示装置および電子機器を添付図面に示す好適実施形態に基づいて詳細に説明する。
＜第１実施形態＞
まず、本発明の表示装置の第１実施形態について説明する。
図１は、本発明の表示装置の第１実施形態を模式的に示す断面図、図２は、図１に示す表示装置の平面図、図３は、図２に示す表示面側電極の変形例を示す平面図、図４、図７、図８、図９および図１１は、それぞれ、図１に示す表示装置の作動電圧を示す図、図５、図６、図１０、図１２および図１３は、それぞれ、図１に示す表示装置の作動を説明する模式図である。なお、以下では、説明の都合上、図１中の上側を「上」、下側を「下」として説明を行う。
【００２０】
１．表示装置の構成
図１に示す表示装置１は、表示シート（フロントプレーン）２と、回路基板（バックプレーン）９とを有している。
表示シート２は、基板３と、基板３の下面に設けられた表示層５とを有している。また、基板３は、シート状（平板状）の基部３１と、基部３１の下面に形成された複数の表示面側電極３２とを有している。
一方の回路基板９は、シート状（平板状）の基部９１と、基部９１上に設けられた例えばＴＦＴ等のスイッチング素子を含む図示しない回路と、前記スイッチング素子に接続された複数の裏面側電極９２とを有している。
【００２１】
以下、これら各部位について順次詳細に説明する。
−表示層−
表示層５は、分散液１０が封入された複数のセル（収容部）５１を有している。本実施形態では、複数のセル５１は、マトリックス状に配置されている。また、本実施形態では、１つのセル５１が１つの画素を構成する。なお、複数のセル５１は、例えば、ハニカム状に配置されていてもよい。
【００２２】
表示層５は、シート状をなし、上面（一方の面）に開放する複数の凹部５２１を有する基体５２と、凹部５２１を塞ぐように基体５２に液密的に接合された蓋体５３とを有している。そして、凹部５２１の内面と蓋体５３の下面とで画成された空間がセル５１を構成している。なお、蓋体５３は、実質的に無色透明であり、この蓋体５３を介して、セル５１内を視認できるようになっている。
【００２３】
基体５２および蓋体５３は、それぞれ、絶縁性と分散液１０の不透過性とを有している。基体５２および蓋体５３の構成材料は、それぞれ、特に限定されず、例えば、ポリエチレン、ポリプロピレン、エチレン−酢酸ビニル共重合体等のポリオレフィン、変性ポリオレフィン、ポリアミド（例：ナイロン６、ナイロン６６）、スチレン系、ポリ塩化ビニル系、ポリウレタン系、ポリエステル系、エポキシ系、フッ素ゴム系、塩素化ポリエチレン系等の各種熱可塑性エラストマー等、またはこれらを主とする共重合体、ブレンド体、ポリマーアロイ等が挙げられ、これらのうちの１種の材料を用いてもよいし、２種以上の材料を混合して用いてもよい。
各セル５１内に封入された分散液１０は、分散媒６に３種の粒子（第１の粒子Ａ、第２の粒子Ｂおよび第３の粒子Ｃ）を分散させたものである。
【００２４】
分散媒６は、実質的に無色透明であることが好ましい。分散媒６は、比較的高い絶縁性を有しているのが好ましい。かかる分散媒６としては、例えば、メタノール、エタノール、ブタノール等のアルコール類、メチルセロソルブ等のセロソルブ類、酢酸メチル、酢酸エチル等のエステル類、アセトン、メチルエチルケトン等のケトン類、ペンタン等の脂肪族炭化水素類、シクロへキサン等の脂環式炭化水素類、ベンゼン、トルエンのような長鎖アルキル基を有するベンゼン類等の芳香族炭化水素類、塩化メチレン、クロロホルム等のハロゲン化炭化水素類、ピリジン、ピラジン等の芳香族複素環類、アセトニトリル、プロピオニトリル等のニトリル類、Ｎ，Ｎ−ジメチルホルムアミド等のアミド類、カルボン酸塩、流動パラフィンなどの鉱物油類、リノール酸、リノレン酸、オレイン酸等の植物油類、ジメチルシリコーンオイル、メチルフェニルシリコーンオイル、メチルハイドロジェンシリコーンオイル等のシリコーンオイル類、ハイドロフルオロエーテル等のフッ素系液体またはその他の各種油類等が挙げられ、これらを単独または混合物として用いることができる。
【００２５】
また、分散媒６中には、必要に応じて、例えば、電解質、界面活性剤、金属石鹸、樹脂材料、ゴム材料、油類、ワニス、コンパウンド等の粒子からなる荷電制御剤、チタン系カップリング剤、アルミニウム系カップリング剤、シラン系カップリング剤等の分散剤、潤滑剤、安定化剤等の各種添加剤を添加するようにしてもよい。
【００２６】
このような分散媒６中には、前述したように、第１の粒子Ａ、第２の粒子Ｂおよび第３の粒子Ｃが分散されている。
第１の粒子Ａは、正に帯電した正帯電粒子であり、第２の粒子Ｂは、負に帯電した負帯電粒子であり、第３の粒子は、実質的に帯電しない非帯電粒子である。これら３種の粒子のうち、第１の粒子Ａおよび第２の粒子Ｂは、共に電荷を有する粒子であるため、後述するように、表示面側電極３２と裏面側電極９２との間に発生する電界に従って、分散媒６中を電気泳動（移動）する。一方、第３の粒子Ｃは、電荷を有さないため、表示面側電極３２と裏面側電極９２との間に電界が発生しているか否かに関わらず、分散媒６中に分散した状態を維持する。
【００２７】
このような第１の粒子Ａ、第２の粒子Ｂおよび第３の粒子Ｃは、互いに、色が異なっている。
第３の粒子Ｃは、白色をなしている。このように、非帯電粒子である第３の粒子Ｃを白色とすることにより、後述するように、より明るい白色を表示することができる。
第１の粒子Ａおよび第２の粒子Ｂは、互いに、補色の関係にある色をなしている。これにより、後述するように、第１の粒子Ａおよび第２の粒子Ｂを用いて黒色を表示することができる。具体的には、第１の粒子Ａおよび第２の粒子Ｂの一方を赤色とし、他方をシアンとてもよいし、一方を緑色とし、他方をマゼンタとしてもよく、一方を青色とし、他方をイエローとしてもよい。
【００２８】
なお、以下では、説明の便宜上、第１の粒子Ａを赤色とし、第２の粒子Ｂをシアンとした構成について代表して説明する。
第１の粒子Ａ、第２の粒子Ｂおよび第３の粒子Ｃは、それぞれ、正電荷、負電荷および無電荷であれば、いかなるものをも用いることができ、特に限定はされないが、顔料粒子、樹脂粒子、セラミックス粒子、金属粒子、金属酸化物粒子またはこれらの複合粒子のうちの少なくとも１種が好適に使用される。これらの粒子は、製造が容易であるとともに、荷電の制御を比較的容易に行うことができるという利点を有している。
【００２９】
顔料粒子を構成する顔料としては、例えば、アニリンブラック、カーボンブラック、チタンブラック等の黒色顔料、二酸化チタン、三酸化アンチモン、硫化亜鉛、亜鉛華等の白色顔料、モノアゾ、ジスアゾ、ポリアゾ等のアゾ系顔料、イソインドリノン、黄鉛、黄色酸化鉄、カドミウムイエロー、チタンイエロー等の黄色顔料、モノアゾ、ジスアゾ、ポリアゾ等のアゾ系顔料、キナクリドンレッド、クロムバーミリオン等の赤色顔料、フタロシアニンブルー、インダスレンブルー、紺青、群青、コバルトブルー等の青色顔料、フタロシアニングリーン等の緑色顔料等が挙げられ、これらのうちの１種または２種以上を組み合わせて用いることができる。
【００３０】
また、樹脂粒子を構成する樹脂材料としては、例えば、アクリル系樹脂、ウレタン系樹脂、尿素系樹脂、エポキシ系樹脂、ロジン樹脂、ポリスチレン、ポリエステル、スチレンとアクリロニトリルを共重合したＡＳ樹脂等が挙げられ、これらのうちの１種または２種以上を組み合わせて用いることができる。
また、複合粒子としては、例えば、顔料粒子の表面を樹脂材料で被覆したもの、樹脂粒子の表面を顔料で被覆したもの、顔料と樹脂材料とを適当な組成比で混合した混合物で構成される粒子等が挙げられる。
【００３１】
また、第１の粒子Ａ、第２の粒子Ｂおよび第３の粒子Ｃの分散媒６中での分散性を向上させることを目的に、各粒子Ａ〜Ｃの表面に、分散媒６と相溶性の高い高分子を物理的に吸着させたり、化学的に結合させたりすることができる。これらの中でも、各粒子Ａ〜Ｃの表面からの離脱着の問題から、前記高分子が化学的に結合しているものが特に好ましい。かかる構成とすれば、各粒子Ａ〜Ｃの見かけの比重が小さくなる方向に作用して、各粒子Ａ〜Ｃの分散媒６での親和性、すなわち分散性を向上させることができる。
【００３２】
第１の粒子Ａ、第２の粒子Ｂおよび第３の粒子Ｃの平均粒径は、それぞれ、特に限定されないが、０．１〜１０μｍ程度であるのが好ましく、０．１〜７．５μｍ程度であるのがより好ましい。各粒子Ａ〜Ｃの平均粒径が小さ過ぎると、主に可視光域において十分な隠蔽率を得ることができず、その結果、表示装置１の表示コントラストが低下するおそれがある。一方、各粒子Ａ〜Ｃの平均粒径が大き過ぎると、その種類等によっては、分散媒６中において沈降し易くなり、表示装置１の表示品質が劣化すること等の問題が生じるおそれがある。なお、「平均粒子径」とは、動的光散乱式粒度分布測定装置（例えば、製品名：ＬＢ−５００、（株）堀場製作所製）で測定した体積平均粒子径を意味する。
【００３３】
また、第１の粒子Ａ、第２の粒子Ｂおよび第３の粒子Ｃの比重は、それぞれ、分散媒６の比重とほぼ等しくなるように設定されているのが好ましい。これにより、各粒子Ａ〜Ｃは、表示面側電極３２と裏面側電極９２との間への電圧の印加を停止した後においても、分散媒６中において一定の位置に長時間滞留することができる。すなわち、表示装置１にメモリー性が付与され、表示された情報を長時間保持することができる。これにより、表示装置１の省電力化を図ることができる。
【００３４】
以上、表示層５について説明した。
このような表示層５の上面には、基板３が設けられており、下面には、回路基板９が設けられている。すなわち、表示層５は、基板３と回路基板９とで狭持されている。前述したように、基板３は、シート状の基部３１と、基部３１の下面（表示層５側の面）に設けられた複数の表示面側電極３２を有し、回路基板９は、シート状の基部９１と、基部９１の上面（表示層５側の面）に設けられた複数の裏面側電極９２とを有している。
【００３５】
また、本実施形態では、基板３の上面が表示装置１の表示面（画像が表示される面）１ａとなっている。
基部３１、９１は、ともに可撓性を有するもの、硬質なもののいずれであってもよいが、可撓性を有するものであるのが好ましい。基部３１、９１として、可撓性を有するものを用いることにより、可撓性を有する表示装置１を得ることができる。
【００３６】
基部３１、９１を可撓性を有するものとする場合、その構成材料は、それぞれ、例えば、ＰＥＴ（ポリエチレンテレフタレート）、ＰＥＮ（ポリエチレンナフタレート）等のポリエステル、ポリエチレン等のポリオレフィン、変性ポリオレフィン、ポリアミド、熱可塑性ポリイミド、ポリエーテル、ポリエーテルエーテルケトン、ポリウレタン系、塩素化ポリエチレン系等の各種熱可塑性エラストマー等、またはこれらを主とする共重合体、ブレンド体、ポリマーアロイ等が挙げられる。
【００３７】
また、基部３１、９１の平均厚さは、それぞれ、構成材料、用途等により適宜設定され、特に限定されないが、可撓性を有するものとする場合、２０μｍ以上、５００μｍ以下程度であるのが好ましく、２５μｍ以上、２５０μｍ以下程度であるのがより好ましい。これにより、表示装置１の柔軟性と強度との調和を図りつつ、表示装置１の小型化（薄型化）を図ることができる。
基部３１上に形成された複数の表示面側電極３２は、マトリックス状（行列状）に設けられている。また、複数の表示面側電極３２は、各セル５１上に２つの表示面側電極３２（すなわち、１つのセル５１に対して２つの表示面側電極３２）が位置するように設けられている。
【００３８】
一方、基部９１上に形成された複数の裏面側電極９２も、マトリックス状（行列状）に設けられている。また、複数の裏面側電極９２は、各セル５１上に２つの裏面側電極９２（すなわち、１つのセル５１に対して２つの裏面側電極９２）が位置するように設けられている。
各表示面側電極３２および各裏面側電極９２の構成材料は、それぞれ、実質的に導電性を有するものであれば特に限定されず、例えば、金、銀、銅、アルミニウムまたはこれらを含む合金等の金属材料、カーボンブラック等の炭素系材料、ポリアセチレン、ポリフルオレンまたはこれらの誘導体等の電子導電性高分子材料、ポリビニルアルコール、ポリカーボネート等のマトリックス樹脂中に、ＮａＣｌ、Ｃｕ（ＣＦ３ＳＯ３）２等のイオン性物質を分散させたイオン導電性高分子材料、インジウム酸化物（ＩＯ）、インジウムスズ酸化物（ＩＴＯ）、フッ素ドープ酸化スズ（ＦＴＯ）等の導電性酸化物材料のような各種導電性材料が挙げられ、これらのうちの１種または２種以上を組み合わせて用いることができる。
【００３９】
ここで、図２に示すように、１つのセル５１に対応して設けられた２つの表示面側電極３２（３２’、３２”）は、互いにほぼ同じ形状（長方形状）をなし、その短片方向に離間して設けられているが、２つの表示面側電極３２’、３２”の形状および配置は、これに限定されない。例えば２つの表示面側電極３２’、３２”が電気的に分離されていれば、図３（ａ）に示すように、枠状の表示面側電極３２’の内側に、表示面側電極３２”が設けられた構成であってもよいし、図３（ｂ）に示すように、セル５１の中央部に設けられた表示面側電極３２’を介して対向するように２つに分割された表示面側電極３２”が設けられた構成であってもよい。裏面側電極９２についても、これと同様であり、表示面側電極３２の形状および配置に対応させるのが好ましい。
【００４０】
２．表示装置の作動
表示装置１は、次のようにして作動する。なお、以下では、説明の便宜上、１つのセル５１（１画素）について代表して説明する。また、前記１つのセル５１に対応して設けられた２つの表示面側電極３２の一方を「表示面側電極（第１の電極）３２１」と言い、他方を「表示面側電極（第２の電極）３２２」と言う。同様に、前記１つのセル５１に対応して設けられた２つの裏面側電極９２の一方を「表示面側電極（第１の裏面側電極）９２１」と言い、他方を「裏面側電極（第２の裏面側電極）９２２」と言う。
【００４１】
表示装置１は、４つの電極（表示面側電極３２１、３２２、裏面側電極９２１、９２２）に、それぞれ独立して電圧を印加できるようになっている。このような表示装置１では、４つの電極３２１、３２２、９２１、９２２に印加する電圧パターンを選択することにより、セル５１中での第１の粒子Ａおよび第２の粒子Ｂの偏在位置を制御し、これにより、セル５１（１画素）に所望の色を表示させる。
【００４２】
具体的には、表示装置１では、セル５１を、表示面１ａに黒色が表示される黒色表示状態、表示面１ａに白色が表示される白色表示状態、表示面１ａに赤色が表示される赤色表示状態または表示面１ａにシアンが表示されるシアン表示状態とすることができる。以下、黒色表示状態、白色表示状態、赤色表示状態およびシアン表示状態について順次説明する。
【００４３】
−黒色表示状態−
まず、図４（ａ）に示す電圧を、４つの電極３２１、３２２、９２１、９２２に印加する。すなわち、裏面側電極９２１、９２２をともに接地状態（０Ｖ）としつつ、表示面側電極３２１、３２２間に、表示面側電極３２１が負電位（裏面側電極９２１、９２２よりも低電位）、表示面側電極３２２が正電位（裏面側電極９２１、９２２よりも高電位）となる電圧を印加する（第１のステップ）。すると、正に帯電した第１の粒子Ａは、表示面側電極３２１に向かって移動（泳動）し、表示面側電極３２１側に集まる（偏在する）。一方、負に帯電した第２の粒子Ｂは、表示面側電極３２２に向かって移動し、表示面側電極３２２側に集まる。なお、第３の粒子Ｃは、分散媒６中に分散した状態を維持する。これにより、図５に示すように、第１の粒子Ａおよび第２の粒子Ｂが、セル５１内の表示面１ａ側に併置された状態となる。
【００４４】
なお、表示面側電極３２１、３２２および裏面側電極９２１、９２２の電位の大小関係が維持されていれば（同様の電界を発生させることができれば）、図４（ａ）に示すように、裏面側電極９２１、９２２が０Ｖ、表示面側電極３２１が−Ｖ、表示面側電極３２２が＋Ｖとなっていなくてもよく、例えば、裏面側電極９２１、９２２を＋１０Ｖとし、表示面側電極３２１を＋５Ｖとし、表示面側電極３２２を＋１５Ｖとしてもよい。このことは、以下に述べる電圧についても同様である。
【００４５】
図５に示す状態となった後、図４（ｂ）に示す電圧を、４つの電極３２１、３２２、９２１、９２２に印加する。すなわち、裏面側電極９２１、９２２を共に接地状態（０Ｖ）としつつ、表示面側電極３２１、３２２間に交番電圧を印加する（第２のステップ）。すると、表示面側電極３２１が正電位、表示面側電極３２２が負電位の状態では、第１の粒子Ａが表示面側電極３２２に向かって移動するとともに、第２の粒子Ｂが表示面側電極３２１に向かって移動し、反対に、表示面側電極３２１が負電位、表示面側電極３２２が正電位の状態では、第１の粒子Ａが表示面側電極３２１に向かって移動するとともに、第２の粒子Ｂが表示面側電極３２２に向かって移動する。
これにより、第１の粒子Ａおよび第２の粒子Ｂが、表示面側電極３２１、３２２の離間方向（表示層５の面方向、図５の横方向）に振動する。その結果、図６に示すように、第１の粒子Ａおよび第２の粒子Ｂが、互いに混合した状態で、セル５１内の表示面１ａ側に偏在した状態（以下、「混合状態」とも言う）となる。
【００４６】
セル５１をこのような混合状態とすることにより、表示面１ａには、第１の粒子Ａの色と第２の粒子Ｂの色の混色である黒色が表示される。特に、第１の粒子Ａと第２の粒子Ｂが混合した状態とすることにより、例えば、図５に示す第１の粒子Ａと第２の粒子Ｂが併置された状態と比較して、彩度が低く、明度の小さい黒色を表示することができる。そのため、表示装置１は、より高いコントラストを発揮することができる。
【００４７】
ここで、図４（ｂ）に示され、混合状態とするために表示面側電極３２１、３２２間に印加する交番電圧（波形）は、特に限定されないが、表示面側電極３２１が正電位、表示面側電極３２２が負電位となる期間Ｔ１が、表示面側電極３２１が負電位、表示面側電極３２２が正電位となる期間Ｔ２よりも長くなる電圧であるのが好ましい。
これにより、第１の粒子Ａは、その振動の際、表示面側電極３２２側への移動距離の方が表示面側電極３２１側への移動距離よりも長くなり、同様に、第２の粒子Ｂは、その振動の際、表示面側電極３２１側への移動距離の方が表示面側電極３２２側への移動距離よりも長くなる。その結果、第１の粒子Ａを表示面側電極３２１側から表示面側電極３２２側へ、第２の粒子Ｂを表示面側電極３２２側から表示面側電極３２１側へ効率的（スムーズ）に移動させることができ、第１の粒子Ａおよび第２の粒子Ｂがより均一に混合した混合状態とすることができる。従って、より彩度が低く、より明度の小さい黒色を表示することができる。
【００４８】
なお、期間Ｔ１、Ｔ２の長さの関係は、特に限定されないが、期間Ｔ１が、１．５Ｔ２以上、５．０Ｔ２以下程度であるのが好ましい。期間Ｔ１を１．５Ｔ２以上とすることにより、上記効果を効果的に発揮することができるとともに、期間Ｔ１を５．０Ｔ２以下とすることにより、単位時間当たりの振動数の低下を抑制することができる。
期間Ｔ１の印加時間としては、特に限定されないが、５０〜５００ｍｓであることが好ましく、期間Ｔ２の印加時間としては、特に限定されないが、２０〜１００ｍｓ（ただし、期間Ｔ１の印加時間よりも短い）であるのが好ましい。これにより、前記効果がより顕著なものとなる。
【００４９】
また、図４（ｂ）に示され、混合状態とするために表示面側電極３２１、３２２間に印加する交番電圧は、表示面側電極３２１が正電位、表示面側電極３２２が負電位となる期間Ｔ１と、表示面側電極３２１が負電位、表示面側電極３２２が正電位となる期間Ｔ２との間に、表示面側電極３２１、３２２が同電位（電位差が０の状態）の期間Ｔ３を有しているのが好ましい。このような期間Ｔ３を有することにより、第１の粒子Ａおよび第２の粒子Ｂをより効果的に振動させることができる。具体的には、第１の粒子Ａや第２の粒子Ｂに電界が作用すると、これら粒子がそれぞれ誘電分極し、誘電分極した粒子同士が静電力によって吸着してしまう。期間Ｔ１と期間Ｔ２の間に期間Ｔ３を介在させることにより、粒子Ａ、Ｂの誘電分極が解除され、それにより粒子同士が互いに離間し、各粒子が移動し易くなる。そのため、第１の粒子Ａおよび第２の粒子Ｂを効果的に振動させることができ、迅速に混合状態とすることができる。
【００５０】
なお、図４（ｂ）に示す電圧では、表示面側電極３２１が正電位、表示面側電極３２２が負電位となる期間Ｔ１を、表示面側電極３２１が負電位、表示面側電極３２２が正電位となる期間Ｔ２よりも長くすることにより、第１の粒子Ａと第２の粒子Ｂとのより均一な混合を実現しているが、別の方法として次のような方法もある。すなわち、図７（ｂ）に示すように、期間Ｔ１と期間Ｔ２の長さは同じであるが、期間Ｔ１の電界の方が期間Ｔ２の電界よりも強く（大きく）なる電圧を表示面側電極３２１、３２２間に印加してもよし。これにより、第１の粒子Ａは、その振動の際、表示面側電極３２２側への移動距離の方が表示面側電極３２１側への移動距離よりも長くなり、同様に、第２の粒子Ｂは、その振動の際、表示面側電極３２１側への移動距離の方が表示面側電極３２２側への移動距離よりも長くなる。その結果、第１の粒子Ａを表示面側電極３２１側から表示面側電極３２２側へ、第２の粒子Ｂを表示面側電極３２２側から表示面側電極３２１側へ効率的（スムーズ）に移動させることができるでき、第１の粒子Ａおよび第２の粒子Ｂがより均一に混合した混合状態とすることができる。
【００５１】
また、図５に示す状態から図６に示す状態とするのに、表示面側電極３２１、３２２間に印加する電圧は、上述したような交番電圧に限定されず、例えば、図７（ａ）に示すように、表示面側電極３２１が正電位、表示面側電極３２２が負電位となる直流電圧であってもよい。この電圧によっても、第１の粒子Ａを表示面側電極３２２側に移動させつつ、第２の粒子Ｂを表示面側電極３２１側に移動させることができるため、第１の粒子Ａと第２の粒子Ｂが互いに混ざり合った混合状態とすることができる。なお、図７（ａ）に示す電圧は、表示面側電極３２１、３２２間に、一回のみ印加してもよいし、パルス状に複数回印加してもよい。
【００５２】
以上、黒色表示状態について説明した。
ここで、黒色表示状態とするのに先立って、第１の粒子Ａ、第２の粒子Ｂおよび第３の粒子Ｃを分散媒６中に分散させた状態（図１に示す状態、以下、この状態を「分散状態」とも言う）とするのが好ましい。言い換えれば、分散状態としてから黒色表示状態とするのが好ましい。分散状態とすることにより、第１の粒子Ａおよび第２の粒子Ｂの移動をスムーズに行えるため、図４（ａ）に示す電圧を印加した際に、第１の粒子Ａを表示面側電極３２１へ向けて、第２の粒子Ｂを表示面側電極３２２へ向けて迅速に移動させることができる。
【００５３】
分散状態とするには、例えば、図８に示す電圧を、４つの電極３２１、３２２、９２１、９２２に印加する。すなわち、表示面側電極３２１、３２２と裏面側電極９２１、９２２との間に交番電圧を印加する。すると、表示面側電極３２１、３２２が正電位、裏面側電極９２１、９２２が負電位の状態では、第１の粒子Ａが裏面側電極９２１、９２２に向かって移動するとともに、第２の粒子Ｂが表示面側電極３２１、３２２に向かって移動し、反対に、表示面側電極３２１、３２２が負電位、裏面側電極９２１、９２２が正電位の状態では、第１の粒子Ａが表示面側電極３２１、３２２に向かって移動するとともに、第２の粒子Ｂが裏面側電極９２１、９２２に向かって移動する。なお、第３の粒子Ｃは、電圧の印加に影響されず、分散媒６中に分散した状態を維持する。
これにより、第１の粒子Ａおよび第２の粒子Ｂが、表示面側電極３２１、３２２と裏面側電極９２１、９２２の離間方向（表示層５の厚さ方向、図１の縦方向）に振動する。その結果、第１の粒子Ａ、第２の粒子Ｂおよび第３の粒子が、それぞれ、分散媒６中に分散した分散状態とすることができる。
【００５４】
図８に示され、分散状態とするために表示面側電極３２１、３２２および裏面側電極９２１、９２２間に印加する交番電圧は、表示面側電極３２１、３２２が正電位、裏面側電極９２１、９２２が負電位となる期間Ｔ４と、表示面側電極３２１、３２２が負電位、裏面側電極９２１、９２２が正電位となる期間Ｔ５との間に、表示面側電極３２１、３２２と裏面側電極９２１、９２２が同電位（電位差が０の状態）の期間Ｔ６を有しているのが好ましい。このような期間Ｔ６を有することにより、前記期間Ｔ３を設けるのと同様の理由から、第１の粒子Ａおよび第２の粒子Ｂをより効果的に振動させることができ、迅速に分散状態とすることができる。
【００５５】
なお、図８では、交番電圧を、表示面側電極３２１、３２２および裏面側電極９２１、９２２間に印加しているが、前述のように、第１の粒子Ａおよび第２の粒子Ｂを表示層５の厚さ方向に振動させることができればよく、表示面側電極３２１、３２２の少なくとも一方と、裏面側電極９２１、９２２の少なくとも一方との間に交番電圧を印加すればよい。
【００５６】
ただし、例えば、表示面側電極３２２と裏面側電極９２２を接地状態としつつ、表示面側電極３２１と裏面側電極９２１との間に交番電圧を印加すると、表示面側電極３２１と裏面側電極９２１との間に表示層５の厚さ方向の電界が発生する他に、表示面側電極３２１、３２２間および裏面側電極９２１、９２２間に表示層５の面方向の電界が発生する。そのため、電界の強さ等によっては、第１の粒子Ａおよび第２の粒子Ｂを表示層５の厚さ方向にスムーズに振動させることができないおそれがある。
このような点から、図８のように、交番電圧を、表示面側電極３２１、３２２および裏面側電極９２１、９２２間に印加するのが最も好ましい。
【００５７】
−白色表示状態−
まず、図９に示す電圧を、４つの電極３２１、３２２、９２１、９２２に印加する。すなわち、表示面側電極３２１、３２２をともに接地状態としつつ、裏面側電極９２１、９２２間に、裏面側電極９２１が負電位、裏面側電極９２２が正電位となる電圧（直流電圧）を印加する。すると、図１０に示すように、正に帯電した第１の粒子Ａは、裏面側電極９２１に向かって移動し、裏面側電極９２１側に集まる。一方、負に帯電した第２の粒子Ｂは、裏面側電極９２２に向かって移動し、裏面側電極９２２側に集まる。なお、第３の粒子Ｃは、分散媒６中に分散した状態を維持する。
これにより、第３の粒子Ｃがセル５１（分散媒６）中に分散し、表示面１ａ側からセル５１を視認した時に、第１の粒子Ａおよび第２の粒子Ｂが第３の粒子Ｃによって覆い隠される。その結果、このような状態では、表示面１ａには、第３の粒子Ｃの色である白色が表示される。
【００５８】
なお、図１０のように、第３の粒子Ｃを分散媒６中で分散させることにより、基板３を介してセル５１内に入射した外光を、効率的に反射・拡散させることができ、例えば、第３の粒子Ｃを表示面側電極３２１、３２２側に偏在させることにより白色を表示する場合と比較して、より明るい白色を表示することができる。その結果、より高いコントラストを発揮することができる。
【００５９】
−赤色表示状態−
図１１（ａ）に示す電圧を、４つの電極３２１、３２２、９２１、９２２に印加する。すなわち、表示面側電極３２１、３２２および裏面側電極９２１、９２２間に、表示面側電極３２１、３２２が負電位、裏面側電極９２１、９２２が正電位となる電圧（直流電圧）を印加する。すると、図１２に示すように、正に帯電した第１の粒子Ａは、表示面側電極３２１、３２２に向かって移動し、表示面側電極３２１、３２２側に集まる。一方、負に帯電した第２の粒子Ｂは、裏面側電極９２１、９２２に向かって移動し、裏面側電極９２１、９２２側に集まる。なお、第３の粒子Ｃは、分散媒６中に分散した状態を維持する。これにより、表示面１ａには、第１の粒子Ａの色である赤色が表示される。
【００６０】
なお、赤色表示状態では、第２の粒子Ｂが裏面側電極９２１、９２２側、すなわち表示面１ａから遠い部位に集まっており、さらに、第１の粒子Ａと第２の粒子Ｂとの間に第３の粒子Ｃが分散している。そのため、第１の粒子Ａの間を通過した外光を第２の粒子Ｂに到達する前に、第３の粒子で反射・拡散させることができる。その結果、第２の粒子Ｂの色が赤色表示状態に影響を与えるのを防止（または抑制）することができるともに、より明るい赤色を表示することができる。
【００６１】
−シアン表示状態−
図１１（ｂ）に示す電圧を、４つの電極３２１、３２２、９２１、９２２に印加する。すなわち、表示面側電極３２１、３２２および裏面側電極９２１、９２２間に、表示面側電極３２１、３２２が正電位、裏面側電極９２１、９２２が負電位となる電圧（直流電圧）を印加する。すると、図１３に示すように、正に帯電した第１の粒子Ａは、裏面側電極９２１、９２２に向かって移動し、裏面側電極９２１、９２２側に集まる。一方、負に帯電した第２の粒子Ｂは、表示面側電極３２１、３２２に向かって移動し、表示面側電極３２１、３２２側に集まる。なお、第３の粒子Ｃは、分散媒６中に分散した状態を維持する。これにより、表示面１ａには、第２の粒子Ｂの色であるシアンが表示される。
【００６２】
なお、シアン表示状態では、第１の粒子Ａが裏面側電極９２１、９２２、すなわち表示面１ａから遠い部位に集まっており、さらに、第２の粒子Ｂと第１の粒子Ａとの間に第３の粒子Ｃが分散している。そのため、第２の粒子Ｂの間を通過した外光を第１の粒子Ａに到達する前に、第３の粒子で反射・拡散させることができる。その結果、第１の粒子Ａの色がシアン表示状態に影響を与えるのを防止（または抑制）することができるともに、より明るいシアンを表示することができる。
【００６３】
以上のような表示装置１によれば、第１の粒子Ａと第２の粒子Ｂを混合状態とすることにより黒色を表示するため、明度が低く、彩度が小さい黒色を表示することができる。また、黒色の粒子を用いることなく黒色を表示できるため、第１の粒子Ａの色、第２の粒子Ｂの色および第３の粒子Ｃの色をより明るく鮮やかに表示することができる。また、第１の粒子Ａの色を表示する際には、第２の粒子Ｂが反対側に移動し、第２の粒子Ｂの色を表示する際には、第１の粒子Ａが反対側へ移動するため、この点からも、第１の粒子Ａおよび第２の粒子Ｂの色を、より明るく鮮やかに表示することができる。したがって、表示装置１は、高いコントラストを発揮することができるとともに、鮮やかなカラー表示を行うことのできる。
【００６４】
＜第２実施形態＞
次に、本発明の表示装置の第２実施形態について説明する。
図１４は、本発明の表示装置の第２実施形態を模式的に示す断面図である。
以下、第２実施形態にかかる表示装置について説明するが、前述した実施形態との相違点を中心に説明し、同様の事項については、その説明を省略する。
【００６５】
本実施形態にかかる表示装置１Ａは、１つの画素を構成するセルの数が異なる以外は、前述した第１実施形態と同様の構成である。
図１４に示すように、本実施形態の表示装置１Ａは、３つのセル５１（第１のセル５１Ａ、第２のセル５１Ｂ、第３の５１Ｃ）で１画素を構成している。
第１のセル５１Ａでは、第１の粒子Ａの色が赤色であり、第２の粒子Ｂの色が赤色と補色の関係にあるシアンである。また、第２のセル５１Ｂでは、第１の粒子Ａの色が緑色であり、第２の粒子Ｂの色が緑色と補色の関係にあるマゼンタである。また、第３のセル５１Ｃでは、第１の粒子Ａの色が青色であり、第２の粒子Ｂの色が青色と補色の関係にあるイエローである。このような第１のセル５１Ａ、第２のセル５１Ｂおよび第３のセル５１Ｃで１画素を構成することにより、表示装置１Ａは、フルカラー表示を実現することができる。
【００６６】
具体的には、第１実施形態で述べたように、第１のセル５１Ａは、黒色表示状態、白色表示状態、赤色表示状態およびシアン表示状態の４つの状態を取ることができる。これと同様に、第２のセル５１Ｂは、黒色表示状態、白色表示状態、緑色表示状態およびマゼンタ表示状態の４つの状態を、第３のセル５１Ｃは、黒色表示状態、白色表示状態、青色表示状態およびイエロー表示状態の４つの状態を、それぞれ、取ることができる。そして、第１のセル５１Ａの状態と、第２のセル５１Ｂの状態と、第３のセル５１Ｃの状態との組み合わせを制御（選択）することにより、当該画素にフルカラーを表示することができる。
【００６７】
なお、各セル５１について、第１の粒子Ａと第２の粒子Ｂの色の組み合わせは、逆であってもよい。すなわち、第１のセル５１Ａでは、第１の粒子Ａがシアンであり、第２の粒子Ｂが赤色であってもよく、第２のセル５１Ｂでは、第１の粒子Ａがマゼンタであり、第２の粒子Ｂが緑色であってもよく、第３のセル５１Ｃでは、第１の粒子Ａがイエローであり、第２の粒子Ｂが青色であってもよい。
【００６８】
表示装置１Ａの具体的な作動は、表１、２に示す通りである。なお、各表中の「Ｗ」は、白色表示状態を意味し、「ＢＫ」は、黒色表示状態を意味し、「Ｒ」は、赤色表示状態を意味し、「Ｇ」は、緑色表示状態を意味し、「Ｂ」は、青色表示状態を意味し、「Ｃ」は、シアン表示状態を意味し、「Ｍ」は、マゼンタ表示状態を意味し、「Ｙ」は、イエロー表示状態を意味する。また、各表に示すものは、一例であり、表示装置１Ａで表示できる色は、これに限定されるものではない。
【００６９】
【表１】
0005505119.tif 000002
【００７０】
【表２】
0005505119.tif 000003
【００７１】
−白色表示−
表１に示すように、画素に白色を表示させるパターンは、少なくとも３通りある。具体的には、各セル５１Ａ、５１Ｂ、５１Ｃを白色表示状態とするパターン（Ｗ１）と、第１のセル５１Ａを赤色表示状態とし、第２のセル５１Ｂを緑色表示状態とし、第３のセル５１Ｃを青色表示状態とするパターン（Ｗ２）と、第１のセル５１Ａをシアン表示状態とし、第２のセル５１Ｂをマゼンタ表示状態とし、第３のセル５１Ｃをイエロー表示状態とするパターン（Ｗ３）とを有している。
これら３つのパターン（Ｗ１）〜（Ｗ３）のうちのパターン（Ｗ１）が、最も鮮明で明るい白色（すなわち反射率が最も高い白色）を表示することができる点で好ましい。すなわち、パターン（Ｗ１）で白色を表示することにより、高いコントラストの画像を表示することができる。
【００７２】
−赤色表示−
表１に示すように、画素に赤色を表示させるパターンは、少なくとも７通りある。具体的には、第１のセル５１Ａを赤色表示状態とし、第２のセル５１Ｂおよび第３のセル５１Ｃをそれぞれ白色表示状態とするパターン（Ｒ１）と、第１のセル５１Ａを赤色表示状態とし、第２のセル５１Ｂおよび第３のセル５１Ｃのいずれか一方を白色表示状態、他方を黒色表示状態とするパターン（Ｒ２）、（Ｒ３）と、第１のセル５１Ａを赤色表示状態とし、第２のセル５１Ｂおよび第３のセル５１Ｃをそれぞれ黒色表示状態とするパターン（Ｒ４）と、第１のセル５１Ａを赤色表示状態とし、第２のセル５１Ｂをマゼンタ表示状態とし、第３のセル５１Ｃをイエロー表示状態とするパターン（Ｒ５）と、第１のセル５１Ａを白色表示状態とし、第２のセル５１Ｂをマゼンタ表示状態とし、第３のセル５１Ｃをイエロー表示状態とするパターン（Ｒ６）と、第１のセル５１Ａを黒色表示状態とし、第２のセル５１Ｂをマゼンタ表示状態とし、第３のセル５１Ｃをイエロー表示状態とするパターン（Ｒ７）とを有している。
【００７３】
パターン（Ｒ１）〜（Ｒ４）のうち、パターン（Ｒ１）が最も明るい赤色を表示することができ、パターン（Ｒ４）が最も暗い赤色を表示することができる。パターン（Ｒ２）およびパターン（Ｒ３）は、パターン（Ｒ１）とパターン（Ｒ４）の中間の明るさを有する赤色を表示することができる。
また、パターン（Ｒ５）は、７つのパターンのうち最も色合いに優れた（すなわち最も濃い）赤色を表示することができる。具体的には、第２のセル５１Ｂで表示されているマゼンタと第３のセル５１Ｃで表示されているイエローの混合色は、赤色である。そのため、第１のセル５１Ａで表示される赤色と、第２、第３のセル５１Ｂ、５１Ｃで表示される赤色とが合わさることにより、より色合いに優れた赤色が表示される。
【００７４】
−緑色表示−
表１に示すように、画素に緑色を表示させるパターンは、前述した赤色表示パターンと同様に、少なくとも７通りある。具体的には、第２のセル５１Ｂを緑色表示状態とし、第１のセル５１Ａおよび第３のセル５１Ｃをそれぞれ白色表示状態とするパターン（Ｇ１）と、第２のセル５１Ｂを緑色表示状態とし、第１のセル５１Ａおよび第３のセル５１Ｃのいずれか一方を白色表示状態、他方を黒色表示状態とするパターン（Ｇ２）、（Ｇ３）と、第２のセル５１Ｂを緑色表示状態とし、第１のセル５１Ａおよび第３のセル５１Ｃをそれぞれ黒色表示状態とするパターン（Ｇ４）と、第２のセル５１Ｂを緑色表示状態とし、第１のセル５１Ａをシアン表示状態とし、第３のセル５１Ｃをイエロー表示状態とするパターン（Ｇ５）と、第２のセル５１Ｂを白色表示状態とし、第１のセル５１Ａをシアン表示状態とし、第３のセル５１Ｃをイエロー表示状態とするパターン（Ｇ６）と、第２のセル５１Ｂを黒色表示状態とし、第１のセル５１Ａをシアン表示状態とし、第３のセル５１Ｃをイエロー表示状態とするパターン（Ｇ７）とを有している。
【００７５】
パターン（Ｇ１）〜（Ｇ４）のうち、パターン（Ｇ１）が最も明るい緑色を表示することができ、パターン（Ｇ４）が最も暗い緑色を表示することができる。パターン（Ｇ２）およびパターン（Ｇ３）は、パターン（Ｇ１）とパターン（Ｇ４）の中間の明るさを有する緑色を表示することができる。
また、パターン（Ｇ５）は、７つのパターンのうち最も色合いに優れた（すなわち最も濃い）緑色を表示することができる。具体的には、第１のセル５１Ａで表示されているシアンと第３のセル５１Ｃで表示されているイエローの混合色は、緑色である。そのため、第２のセル５１Ｂで表示される緑色と、第１、第３のセル５１Ａ、５１Ｃで表示される緑色とが合わさることにより、より色合いに優れた緑色が表示される。
【００７６】
−青色表示−
表１に示すように、画素に青色を表示させるパターンは、前述した赤色表示パターンと同様に、少なくとも７通りある。具体的には、第３のセル５１Ｃを青色表示状態とし、第１のセル５１Ａおよび第２のセル５１Ｂをそれぞれ白色表示状態とするパターン（Ｂ１）と、第３のセル５１Ｃを青色表示状態とし、第１のセル５１Ａおよび第２のセル５１Ｂのいずれか一方を白色表示状態、他方を黒色表示状態とするパターン（Ｂ２）、（Ｂ３）と、第３のセル５１Ｃを青色表示状態とし、第１のセル５１Ａおよび第２のセル５１Ｂをそれぞれ黒色表示状態とするパターン（Ｂ４）と、第３のセル５１Ｃを青色表示状態とし、第１のセル５１Ａをシアン表示状態とし、第２のセル５１Ｂをマゼンタ表示状態とするパターン（Ｂ５）と、第３のセル５１Ｃを白色表示状態とし、第１のセル５１Ａをシアン表示状態とし、第２のセル５１Ｂをマゼンタ表示状態とするパターン（Ｂ６）と、第３のセル５１Ｃを黒色表示状態とし、第１のセル５１Ａをシアン表示状態とし、第２のセル５１Ｂをマゼンタ表示状態とするパターン（Ｂ７）とを有している。
【００７７】
パターン（Ｂ１）〜（Ｂ４）のうち、パターン（Ｂ１）が最も明るい青色を表示することができ、パターン（Ｂ４）が最も暗い青色を表示することができる。パターン（Ｂ２）およびパターン（Ｂ３）は、パターン（Ｂ１）とパターン（Ｂ４）の中間の明るさを有する青色を表示することができる。
また、パターン（Ｂ５）は、７つのパターンのうち最も色合いに優れた（すなわち最も濃い）青色を表示することができる。具体的には、第１のセル５１Ａで表示されているシアンと第２のセル５１Ｂで表示されているマゼンタ色の混合色は、青色である。そのため、第３のセル５１Ｃで表示される青色と、第１、第２のセル５１Ａ、５１Ｂで表示される青色とが合わさることにより、より色合いに優れた青色が表示される。
【００７８】
−シアン表示−
表２に示すように、画素にシアンを表示させるパターンは、前述した赤色表示パターンと同様に、少なくとも７通りある。具体的には、第１のセル５１Ａをシアン表示状態とし、第２のセル５１Ｂおよび第３のセル５１Ｃをそれぞれ白色表示状態とするパターン（Ｃ１）と、第１のセル５１Ａをシアン表示状態とし、第２のセル５１Ｂおよび第３のセル５１Ｃのいずれか一方を白色表示状態、他方を黒色表示状態とするパターン（Ｃ２）、（Ｃ３）と、第１のセル５１Ａをシアン表示状態とし、第２のセル５１Ｂおよび第３のセル５１Ｃをそれぞれ黒色表示状態とするパターン（Ｃ４）と、第１のセル５１Ａをシアン表示状態とし、第２のセル５１Ｂを緑色表示状態とし、第３のセル５１Ｃを青色表示状態とするパターン（Ｃ５）と、第１のセル５１Ａを白色表示状態とし、第２のセル５１Ｂを緑色表示状態とし、第３のセル５１Ｃを青色表示状態とするパターン（Ｃ６）と、第１のセル５１Ａを黒色表示状態とし、第２のセル５１Ｂを緑色表示状態とし、第３のセル５１Ｃを青色表示状態とするパターン（Ｃ７）とを有している。
【００７９】
パターン（Ｃ１）〜（Ｃ４）のうち、パターン（Ｃ１）が最も明るいシアンを表示することができ、パターン（Ｃ４）が最も暗いシアンを表示することができる。パターン（Ｃ２）およびパターン（Ｃ３）は、パターン（Ｃ１）とパターン（Ｃ４）の中間の明るさを有するシアンを表示することができる。
また、パターン（Ｃ５）は、７つのパターンのうち最も色合いに優れた（すなわち最も濃い）シアンを表示することができる。具体的には、第２のセル５１Ｂで表示されている緑色と第３のセル５１Ｃで表示されている青色の混合色は、シアンである。そのため、第１のセル５１Ａで表示されるシアンと、第２、第３のセル５１Ｂ、５１Ｃで表示されるシアンとが合わさることにより、より色合いに優れたシアンが表示される。
【００８０】
−マゼンタ表示−
表２に示すように、画素にマゼンタを表示させるパターンは、前述した赤色表示パターンと同様に、少なくとも７通りある。具体的には、第２のセル５１Ｂをマゼンタ表示状態とし、第１のセル５１Ａおよび第３のセル５１Ｃをそれぞれ白色表示状態とするパターン（Ｍ１）と、第２のセル５１Ｂをマゼンタ表示状態とし、第１のセル５１Ａおよび第３のセル５１Ｃのいずれか一方を白色表示状態、他方を黒色表示状態とするパターン（Ｍ２）、（Ｍ３）と、第２のセル５１Ｂをマゼンタ表示状態とし、第１のセル５１Ａおよび第３のセル５１Ｃをそれぞれ黒色表示状態とするパターン（Ｍ４）と、第２のセル５１Ｂをマゼンタ表示状態とし、第１のセル５１Ａを赤色表示状態とし、第３のセル５１Ｃを青色表示状態とするパターン（Ｍ５）と、第２のセル５１Ｂを白色表示状態とし、第１のセル５１Ａを赤色表示状態とし、第３のセル５１Ｃを青色表示状態とするパターン（Ｍ６）と、第２のセル５１Ｂを黒色表示状態とし、第１のセル５１Ａを赤色表示状態とし、第３のセル５１Ｃを青色表示状態とするパターン（Ｍ７）とを有している。
【００８１】
パターン（Ｍ１）〜（Ｍ４）のうち、パターン（Ｍ１）が最も明るいマゼンタを表示することができ、パターン（Ｍ４）が最も暗いマゼンタを表示することができる。パターン（Ｍ２）およびパターン（Ｍ３）は、パターン（Ｍ１）とパターン（Ｍ４）の中間の明るさを有するマゼンタを表示することができる。
また、パターン（Ｍ５）は、７つのパターンのうち最も色合いに優れた（すなわち最も濃い）マゼンタを表示することができる。具体的には、第１のセル５１Ａで表示されている赤色と第３のセル５１Ｃで表示されている青色の混合色は、マゼンタである。そのため、第２のセル５１Ｂで表示されるマゼンタと、第１、第３のセル５１Ａ、５１Ｃで表示されるマゼンタとが合わさることにより、より色合いに優れたマゼンタが表示される。
【００８２】
−イエロー表示−
表２に示すように、画素にイエローを表示させるパターンは、前述した赤色表示パターンと同様に、少なくとも７通りある。具体的には、第３のセル５１Ｃをイエロー表示状態とし、第１のセル５１Ａおよび第２のセル５１Ｂをそれぞれ白色表示状態とするパターン（Ｙ１）と、第３のセル５１Ｃをイエロー表示状態とし、第１のセル５１Ａおよび第２のセル５１Ｂのいずれか一方を白色表示状態、他方を黒色表示状態とするパターン（Ｙ２）、（Ｙ３）と、第３のセル５１Ｃをイエロー表示状態とし、第１のセル５１Ａおよび第２のセル５１Ｂをそれぞれ黒色表示状態とするパターン（Ｙ４）と、第３のセル５１Ｃをイエロー表示状態とし、第１のセル５１Ａを赤色表示状態とし、第２のセル５１Ｂを緑色表示状態とするパターン（Ｙ５）と、第３のセル５１Ｃを白色表示状態とし、第１のセル５１Ａを赤色表示状態とし、第２のセル５１Ｂを緑色表示状態とするパターン（Ｙ６）と、第３のセル５１Ｃを黒色表示状態とし、第１のセル５１Ａを赤色表示状態とし、第２のセル５１Ｂを緑色表示状態とするパターン（Ｙ７）とを有している。
【００８３】
パターン（Ｙ１）〜（Ｙ４）のうち、パターン（Ｙ１）が最も明るいイエローを表示することができ、パターン（Ｙ４）が最も暗いイエローを表示することができる。パターン（Ｙ２）およびパターン（Ｙ３）は、パターン（Ｙ１）とパターン（Ｙ４）の中間の明るさを有するイエローを表示することができる。
また、パターン（Ｙ５）は、７つのパターンのうち最も色合いに優れた（すなわち最も濃い）イエローを表示することができる。具体的には、第１のセル５１Ａで表示されている赤色と第２のセル５１Ｂで表示されている緑色の混合色は、イエローである。そのため、第３のセル５１Ｃで表示されるイエローと、第１、第２のセル５１Ａ、５１Ｂで表示されるイエローとが合わさることにより、より色合いに優れたイエローが表示される。
【００８４】
−黒色表示−
表２に示すように、画素に黒色を表示させるパターンは、少なくとも１通りある。具体的には、各セル５１Ａ、５１Ｂ、５１Ｃを黒色表示状態とするパターン（ＢＫ１）を有している。
【００８５】
−灰色表示−
表２に示すように、画素に灰色を表示させるパターンは、少なくとも６通りある。具体的には、第１のセル５１Ａ、第２の５１Ｂおよび第３の５１Ｃのいずれか１つのセルを黒色表示状態とし、他の２つのセルを白色表示状態とするパターン（ＧＲ１）、（ＧＲ２）、（ＧＲ３）と、第１のセル５１Ａ、第２の５１Ｂおよび第３の５１Ｃのいずれか１つのセルを白色表示状態とし、他の２つのセルを黒色表示状態とするパターン（ＧＲ４）、（ＧＲ５）、（ＧＲ６）とを有している。
パターン（ＧＲ１）〜（ＧＲ６）のうち、パターン（ＧＲ１）、（ＧＲ２）、（ＧＲ３）が白色に近い灰色であり、パターン（ＧＲ４）、（ＧＲ５）、（ＧＲ６）が黒色に近い灰色である。
【００８６】
・その他の色の表示状態
表１、２には、示していないが、画素には、上述した色以外の色を表示させることもできる。例えば、赤色と緑色の混色を表示させるには、第１のセル５１Ａを赤色表示状態とし、第２のセル５１Ｂを緑色表示状態とし、第３のセル５１Ｃを白色表示状態または黒色表示状態とすればよいし、緑色と青色の混色を表示させるには、第２のセル５１Ｂを緑色表示状態とし、第３のセル５１Ｃを青色表示状態とし、第１のセル５１Ａを白色表示状態または黒色表示状態とすればよいし、青色と赤色の混色を表示させるには、第３のセル５１Ｃを青色表示状態とし、第１のセル５１Ａを赤色表示状態とし、第２のセル５１Ｂを白色表示状態または黒色表示状態とすればよい。また、例えば、シアンとマゼンタの混色を表示させるには、第１のセル５１Ａをシアン表示状態とし、第２のセル５１Ｂをマゼンタ表示状態とし、第３のセル５１Ｃを白色表示状態または黒色表示状態とすればよいし、マゼンタとイエローの混色を表示させるには、第２のセル５１Ｂをマゼンタ表示状態とし、第３のセル５１Ｃをイエロー表示状態とし、第１のセル５１Ａを白色表示状態または黒色表示状態とすればよいし、イエローとシアンの混色を表示させるには、第３のセル５１Ｃをイエロー表示状態とし、第１のセル５１Ａをシアン表示状態とし、第２のセル５１Ｂを白色表示状態または黒色表示状態とすればよい。
以上のような第２実施形態によっても、前述した第１実施形態と同様の効果を発揮することができる。
【００８７】
＜電子機器＞
以上のような表示装置１は、各種電子機器に組み込むことができる。以下、表示装置１を備える本発明の電子機器について説明する。
＜＜電子ペーパー＞＞
まず、本発明の電子機器を電子ペーパーに適用した場合の実施形態について説明する。
【００８８】
図１５は、本発明の電子機器を電子ペーパーに適用した場合の実施形態を示す斜視図である。
図１５に示す電子ペーパー６００は、紙と同様の質感および柔軟性を有するリライタブルシートで構成される本体６０１と、表示ユニット６０２とを備えている。
このような電子ペーパー６００では、表示ユニット６０２が、前述したような表示装置１で構成されている。
【００８９】
＜＜ディスプレイ＞＞
次に、本発明の電子機器をディスプレイに適用した場合の実施形態について説明する。
図１６は、本発明の電子機器をディスプレイに適用した場合の実施形態を示す図である。このうち、図１６中（ａ）は断面図、（ｂ）は平面図である。
図１６に示すディスプレイ（表示装置）８００は、本体部８０１と、この本体部８０１に対して着脱自在に設けられた電子ペーパー６００とを備えている。なお、この電子ペーパー６００は、前述したような構成、すなわち、図１５に示す構成と同様のものである。
【００９０】
本体部８０１は、その側部（図１６（ａ）中、右側）に電子ペーパー６００を挿入可能な挿入口８０５が形成され、また、内部に二組の搬送ローラ対８０２ａ、８０２ｂが設けられている。電子ペーパー６００を、挿入口８０５を介して本体部８０１内に挿入すると、電子ペーパー６００は、搬送ローラ対８０２ａ、８０２ｂにより挟持された状態で本体部８０１に設置される。
【００９１】
また、本体部８０１の表示面側（図１６（ｂ）中、紙面手前側）には、矩形状の孔部８０３が形成され、この孔部８０３には、透明ガラス板８０４が嵌め込まれている。これにより、本体部８０１の外部から、本体部８０１に設置された状態の電子ペーパー６００を視認することができる。すなわち、このディスプレイ８００では、本体部８０１に設置された状態の電子ペーパー６００を、透明ガラス板８０４において視認させることで表示面を構成している。
【００９２】
また、電子ペーパー６００の挿入方向先端部（図１６中、左側）には、端子部８０６が設けられており、本体部８０１の内部には、電子ペーパー６００を本体部８０１に設置した状態で端子部８０６が接続されるソケット８０７が設けられている。このソケット８０７には、コントローラー８０８と操作部８０９とが電気的に接続されている。
このようなディスプレイ８００では、電子ペーパー６００は、本体部８０１に着脱自在に設置されており、本体部８０１から取り外した状態で携帯して使用することもできる。
【００９３】
また、このようなディスプレイ８００では、電子ペーパー６００が、前述したような表示装置１で構成されている。
なお、本発明の電子機器は、以上のようなものへの適用に限定されず、そのほか、例えば、テレビ、ビューファインダ型、モニタ直視型のビデオテープレコーダ、カーナビゲーション装置、ページャ、電子手帳、電卓、電子新聞、ワードプロセッサ、パーソナルコンピュータ、ワークステーション、テレビ電話、ＰＯＳ端末、タッチパネルを備えた機器等を挙げることができ、これらの各種電子機器の表示部に、表示装置１を適用することが可能である。
【００９４】
以上、本発明の表示装置および電子機器を、図示の実施形態に基づいて説明したが、本発明はこれに限定されるものではなく、各部の構成は、同様の機能を有する任意の構成のものに置換することができる。また、本発明に、他の任意の構成物が付加されていてもよい。また、本発明の表示装置は、前記各実施形態のうちの、任意の２以上の構成を組み合わせたものであってもよい。
【００９５】
また、前述した実施形態では、セルが表示層の平面視にて略四角形をなしており、マトリックス状に配置された構成について説明したが、セルの形状および配置は、これに限定されず、例えば、各セルが表示層の平面視にて略六角形をなし、ハニカム状に配置されていてもよい。
また、前述した実施形態では、白色の第３の粒子が実質的に帯電していない非帯電粒子である場合について説明したが、電界が作用していない状態でセル内に分散した状態となるものであれば、正または負の電荷を有する帯電粒子であってもよい。また、第３の粒子は、白色でなくてもよく、例えば、金、銀、銅等の金属色であってもよい。
また、前述した実施形態は、いわゆる隔壁型（セル型）の表示装置であるが、これに限定されず、いわゆるマイクロカプセル型を用いてもよい。
【符号の説明】
【００９６】
１、１Ａ‥‥表示装置  １ａ‥‥表示面  ２‥‥表示シート  ３‥‥基板  ３１‥‥基部  ３２、３２’、３２”、３２１、３２２‥‥表示面側電極  ５‥‥表示層  ５１‥‥セル  ５１Ａ‥‥第１のセル  ５１Ｂ‥‥第２のセル  ５１Ｃ‥‥第３のセル  ５２‥‥基体  ５２１‥‥凹部  ５３‥‥蓋体  ６‥‥分散媒  ９‥‥回路基板  ９１‥‥基部  ９２、９２１、９２２‥‥裏面側電極  １０‥‥分散液  ６００‥‥電子ペーパー  ６０１‥‥本体  ６０２‥‥表示ユニット  ８００‥‥ディスプレイ  ８０１‥‥本体部  ８０２ａ、８０２ｂ‥‥搬送ローラ対  ８０３‥‥孔部  ８０４‥‥透明ガラス板  ８０５‥‥挿入口  ８０６‥‥端子部  ８０７‥‥ソケット  ８０８‥‥コントローラー  ８０９‥‥操作部  Ａ‥‥第１の粒子  Ｂ‥‥第２の粒子  Ｃ‥‥第３の粒子  Ｔ１〜Ｔ６‥‥期間
【図１】
0005505119.tif 000004
【図２】
0005505119.tif 000005
【図３】
0005505119.tif 000006
【図４】
0005505119.tif 000007
【図５】
0005505119.tif 000008
【図６】
0005505119.tif 000009
【図７】
0005505119.tif 000010
【図８】
0005505119.tif 000011
【図９】
0005505119.tif 000012
【図１０】
0005505119.tif 000013
【図１１】
0005505119.tif 000014
【図１２】
0005505119.tif 000015
【図１３】
0005505119.tif 000016
【図１４】
0005505119.tif 000017
【図１５】
0005505119.tif 000018
【図１６】
0005505119.tif 000019